(57)【要約】【課題】電気系統と流体系統の両方を集約して配索できるものの、流体の漏れの心配をする必要がなく、構成も簡略化することのできるホース貫通路付きのコネクタを提供する。【解決手段】端子同士を電気接続するための一対のコネクタ１０、５０の各コネクタハウジング１０Ａ、５０Ａに、該コネクタハウジング同士を結合した際に連通する流体ホース２００貫通用のホース貫通路３０、７０を設け、そのホース貫通路と端子を収容した電気接続部２０、６０とを隔壁３１、７１で仕切った。一方のコネクタハウジング１０Ａのホース貫通路３０に、スリット３２ａ付きのテーパ周壁３２ｂを有しホース２００を一次係止するホース保持筒３２を設け、他方のコネクタハウジング５０Ａのホース貫通路７０に、コネクタハウジング同士を結合したときに、ホース保持筒３２の外周テーパ面３２ｃに嵌合することで締付力（二次係止力）を発揮するテーパ嵌合部７２を設けた。【選択図】図４
2007200773.tif 000002
【特許請求の範囲】
【請求項１】
端子同士を電気接続するための一対のコネクタの各コネクタハウジングに、該コネクタハウジング同士を結合した際に連通する流体ホース貫通用のホース貫通路を設け、そのホース貫通路と前記端子を収容した電気接続部とを隔壁で仕切ると共に、前記一方のコネクタハウジングのホース貫通路に、該ホース貫通路に通した流体ホースを長手方向に移動不能に一次係止するホース保持部を設け、前記他方のコネクタハウジングのホース貫通路に、コネクタハウジング同士を結合したときに、前記ホース貫通路に通した流体ホースを二次係止するホース二次係止手段を設けたことを特徴とするホース貫通路付きのコネクタ。
【請求項２】
請求項１に記載のホース貫通路付きのコネクタであって、
前記一方のコネクタハウジング側のホース保持部として、軸方向に延びるスリットにより周方向に複数に分割されたテーパ周壁を有し且つ該テーパ周壁自身の可撓性により中に通された流体ホースに締付力を発揮して該流体ホースを長手方向に移動不能に一次係止するホース保持筒を設け、前記他方のコネクタハウジング側のホース二次係止手段として、コネクタハウジング同士を結合したときに、前記ホース保持筒の外周テーパ面に嵌合することで、前記ホース保持筒に外部から縮径力を与えて、該ホース保持筒自身の発揮する締付力に二次係止力としての増強力を加えるテーパ嵌合部を設けたことを特徴とするホース貫通路付きのコネクタ。
【請求項３】
端子同士を電気接続するための一対のコネクタのハウジングに、該ハウジング同士を結合した際に連通する流体ホース貫通用のホース貫通路を設け、そのホース貫通路と前記端子を収容した電気接続部とを隔壁で仕切ると共に、前記一方のコネクタハウジングのホース貫通路に、軸方向に延びるスリットにより周方向に複数に分割されたテーパ周壁を有したホース保持筒を設け、前記他方のコネクタハウジングのホース貫通路に、コネクタハウジング同士を結合したときに、前記ホース保持筒の外周テーパ面に嵌合することで、前記ホース保持筒に外部から縮径力を与えて、流体ホースに対する締付力を発揮させるテーパ嵌合部を設けたことを特徴とするホース貫通路付きのコネクタ。
【発明の詳細な説明】
【技術分野】
【０００１】
本発明は、自動車のワイヤハーネス接続用のコネクタに、ウィンドーウォッシャ液などの流体を流通させるためのホースの貫通路を一体的に設けたコネクタに関するものである。 
【背景技術】
【０００２】
自動車のバックドアには、ボディ側からワイヤーハーネスによる電気系統とウィンドーウォッシャ液の系統（流体系統）の２系統の配索を行わなくてはならない。従来では、これら２系統の配索をそれぞれ単独に行っており、グロメットなども別々のものを用いていた。
【０００３】
しかし、別々に配索するのは面倒であるため、１つのコネクタに電気接続と流路接続の両機能を集約させるアイデアが提供されている（例えば、特許文献１参照）。
【０００４】
図８は特許文献１に記載されたコネクタの例を示している。
【０００５】
このコネクタは、通常の電線１５０同士の電気接続を行う雄雌コネクタ１５１、１５２のコネクタハウジング１５１Ａ、１５２Ａに、流路１５５、１５６の接続機能を追加した流路一体コネクタであり、一方のコネクタハウジング１５１Ａの内部にコネクタ嵌合方向に貫通して流路１５５を形成すると共に、該流路１５５の前方に挿入管部１５５ａを突出形成し、他方のコネクタハウジング１５６の内部に、該挿入管部１５５ａに嵌合するシール部１５６ａを備えた流路１５６を貫通して形成している。そして、各流路１５５、１５６の後端にホース１５８を繋いた状態で、雄雌コネクタ１５１、１５２を結合させることにより、電気接続と流路接続を１回ですませるようにしている。
【特許文献１】実開平８−１２５５号公報
【発明の開示】
【発明が解決しようとする課題】
【０００６】
しかし、特許文献１に記載の技術のように、１つのコネクタの内部で流路１５５、１５６の接続を行う場合、流体の漏れの心配が少なからずある。また、その対策として、流路の接続部にシール構造を設けなくてはならないから、構成が複雑化する問題もある。また、各流路１５５、１５６の後端にホース１５８を接続する必要もあるので、その接続部からの漏れの心配もある。
【０００７】
本発明は、上記事情を考慮し、電気系統と流体系統の両方を集約して配索できるものの、流体の漏れの心配をする必要がなく、また、構成も簡略化することのできるホース貫通路付きのコネクタを提供することを目的とする。
【課題を解決するための手段】
【０００８】
請求項１の発明のホース貫通路付きのコネクタは、端子同士を電気接続するための一対のコネクタの各コネクタハウジングに、該コネクタハウジング同士を結合した際に連通する流体ホース貫通用のホース貫通路を設け、そのホース貫通路と前記端子を収容した電気接続部とを隔壁で仕切ると共に、前記一方のコネクタハウジングのホース貫通路に、該ホース貫通路に通した流体ホースを長手方向に移動不能に一次係止するホース保持部を設け、前記他方のコネクタハウジングのホース貫通路に、コネクタハウジング同士を結合したときに、前記ホース貫通路に通した流体ホースを二次係止するホース二次係止手段を設けたことを特徴とする。
【０００９】
請求項２の発明は、請求項１に記載のホース貫通路付きのコネクタであって、前記一方のコネクタハウジング側のホース保持部として、軸方向に延びるスリットにより周方向に複数に分割されたテーパ周壁を有し且つ該テーパ周壁自身の可撓性により中に通された流体ホースに締付力を発揮して該流体ホースを長手方向に移動不能に一次係止するホース保持筒を設け、他方のコネクタハウジング側のホース二次係止手段として、コネクタハウジング同士を結合したときに、前記ホース保持筒の外周テーパ面に嵌合することで、前記ホース保持筒に外部から縮径力を与えて、該ホース保持筒自身の発揮する締付力に二次係止力としての増強力を加えるテーパ嵌合部を設けたことを特徴とする。
【００１０】
請求項３の発明のホース貫通路付きのコネクタは、端子同士を電気接続するための一対のコネクタのハウジングに、該ハウジング同士を結合した際に連通する流体ホース貫通用のホース貫通路を設け、そのホース貫通路と前記端子を収容した電気接続部とを隔壁で仕切ると共に、前記一方のコネクタハウジングのホース貫通路に、軸方向に延びるスリットにより周方向に複数に分割されたテーパ周壁を有したホース保持筒を設け、前記他方のコネクタハウジングのホース貫通路に、コネクタハウジング同士を結合したときに、前記ホース保持筒の外周テーパ面に嵌合することで、前記ホース保持筒に外部から縮径力を与えて、流体ホースに対する締付力を発揮させるテーパ嵌合部を設けたことを特徴とする。
【発明の効果】
【００１１】
請求項１の発明によれば、電気系統と流体系統を１組のコネクタにまとめて配設できるため、組み付け作業性の向上が図れる。また、電気系統と流体系統をまとめることで、ホース用のグロメットをワイヤーハーネス用のグロメットと別に用意する必要がなくなるため、部品点数の削減が図れる。また、流体ホースは、コネクタハウジングに単に挿通させるだけであり、コネクタハウジングの結合によってホース同士の接続を行うわけではないから、流体ホースが破れない限り、流体の漏れの心配はない。また、ホース貫通路と電気接続部は隔壁で確実に仕切ってあるので、電気系統と流体系統の干渉のおそれもない。
【００１２】
また、従来例のようにコネクタで流路同士を接続するわけではないから、余計なシール部も不要であり、構造の簡略化が図れる。また、流体ホースの繋ぎは、コネクタから離れた位置で自由に行えばよいので、電気系統の接続箇所と流体系統の接続箇所を敢えて離すことができる。つまり、同じコネクタ内に電気系統と液体系統を通すものの、各系統の接続は離れた位置で行うことができることから、電気接続箇所が流体の継ぎ目からの漏れの影響を受けるおそれもない。
【００１３】
また、一方のコネクタハウジングのホース貫通路に、流体ホースを一次係止するホース保持部を設けたので、流体ホースが無闇に動いたりしなくなり、流体ホースの取り扱いやコネクタの接続がやりやすくなる。しかも、他方のコネクタハウジングのホース貫通路に、コネクタハウジング同士を結合したときに、ホース貫通路に通した流体ホースを二次係止するホース二次係止手段を設けたので、確実に流体ホースを固定することができる。
【００１４】
請求項２の発明によれば、一方のコネクタハウジング側のホース保持部として、スリット付きテーパ周壁を有するホース保持筒を設けたので、テーパ周壁の小径部の内径より太めで大径部の内径より細めの流体ホースをテーパ周壁の大径部側から小径部側に挿通させるだけで、自動的に流体ホースを一次係止することができ、流体ホースの組み付けが簡単にできる。
【００１５】
また、他方のコネクタハウジング側のホース二次係止手段として、コネクタハウジング同士を結合したときに、ホース保持筒の外周テーパ面に嵌合することで、ホース保持筒に外部から縮径力を与えて、ホース保持筒自身の発揮する締付力に二次係止力としての増強力を加えるテーパ嵌合部を設けたので、極めて簡単な構造を付加するだけで、ホース保持筒による締め付けを大幅に強化することができる。つまり、ホース保持筒自身による一次係止力を弱く設定して、流体ホースの貫通作業の容易化図りながら、コネクタの嵌合時には、二次係止力を発生することによって確実に流体ホースを固定することができる。
【００１６】
請求項３の発明によれば、請求項１の発明と同様に、電気系統と流体系統を１組のコネクタにまとめて配設できるため、組み付け作業性の向上が図れる。また、電気系統と流体系統をまとめることで、ホース用のグロメットをワイヤーハーネス用のグロメットと別に用意する必要がなくなるため、部品点数の削減が図れる。また、流体ホースは、コネクタハウジングに単に挿通させるだけであり、コネクタハウジングの結合によってホース同士の接続を行うわけではないから、ホースが破れない限り、流体の漏れの心配はない。また、ホース貫通路と電気接続部は隔壁で確実に仕切ってあるので、電気系統と流体系統の干渉のおそれもない。
【００１７】
また、従来例のようにコネクタで流路同士を接続するわけではないから、余計なシール部も不要であり、構造の簡略化が図れる。また、流体ホースの繋ぎは、コネクタから離れた位置で自由に行えばよいので、電気系統の接続箇所と流体系統の接続箇所を敢えて離すことができる。つまり、同じコネクタ内に電気系統と液体系統を通すものの、各系統の接続は離れた位置で行うことができることから、電気接続箇所が流体の継ぎ目からの漏れの影響を受けるおそれもない。
【００１８】
また、一方のコネクタハウジングのホース貫通路に、スリット付きテーパ周壁を有するホース保持筒を設け、他方のコネクタハウジングのホース貫通路に、コネクタハウジング同士を結合したときに、ホース保持筒の外周テーパ面に嵌合することで、ホース保持筒に外部から縮径力を与えるテーパ嵌合部を設けたので、コネクタを嵌合したときに初めてホースの固定力を発揮できる。従って、コネクタ嵌合前は流体ホースを容易に貫通させることができると共に、コネクタ嵌合後は確実に流体ホースを固定することができる。
【発明を実施するための最良の形態】
【００１９】
以下、本発明の実施形態を図面を参照して説明する。
【００２０】
図１は実施形態のホース貫通路付きのコネクタの結合前の状態を示す分解斜視図である。
【００２１】
このコネクタは、自動車のボディからバックドアへのワイヤーハーネス及びウォッシャホースの配索経路途中に使用されるもので、バックドア側のコネクタ１０と、それに結合するボディ側のコネクタ５０の対からなる。
【００２２】
各コネクタ１０、５０の内部には、図示しないワイヤーハーネスの先端に接続された端子（不図示）が収容固定されており、コネクタハウジング１０Ａ、５０Ａ同士を嵌合させることによって、端子同士の結合を介して、ボディ側とバックドア側のワイヤーハーネスを電気接続できるようになっている。そのための主要部分として、各コネクタ１０、５０には、接続すべき端子を収容した電気接続部２０、６０が設けられている。
【００２３】
また、各コネクタハウジング１０Ａ、５０Ａには、コネクタハウジング１０Ａ、５０Ａ同士を結合した際に連通する流体ホース貫通用のホース貫通路３０、７０が設けられている。これらのホース貫通路３０、７０と端子を収容した電気接続部２０、６０とは、隔壁３１、７１により完全に仕切られている。また、両コネクタハウジング１０Ａ、５０Ａには、コネクタハウジング１０Ａ、５０Ａ同士を嵌合させた状態でロックするロック機構１２、５２が設けられている。
【００２４】
図２はバックドア側のコネクタの背面方向（相手コネクタに対する嵌合面と反対側）から見た斜視図、図３は同コネクタの正面方向（相手コネクタに対する嵌合面側）から見た斜視図、図４はバックドア側のコネクタとボディ側のコネクタをホース貫通路の位置で縦に切断して示す部分斜視図、図５は図４と同じ位置で切断したものを反対側から見た部分斜視図、図６は図４と同じ位置で切断したものの側断面図、図７はコネクタの嵌合時のホース貫通路の組み合わせ状態を示す断面図である。
【００２５】
バックドア側のコネクタ１０は、グロメットＧ（図１参照）の嵌合用のフランジ部１１を後端に有するコネクタハウジング１０Ａと、コネクタハウジング１０Ａの内部に収容された端子（不図示）とから構成され、ボディ側のコネクタ５０は、バックドア側のコネクタハウジング１０Ａに嵌合されるコネクタハウジング５０Ａと、そのコネクタハウジング５０Ａの内部に収容された端子（不図示）とから構成されている。
【００２６】
両コネクタ１０、５０には、コネクタハウジング１０Ａ、５０Ａを結合したときに、端子同士を接続する電気接続部２０、６０と、ウォッシャホース（流体ホース）２００を貫通させるホース貫通路３０、７０とが、互いに隔壁３１、７１により区画されて設けられている。電気接続部２０、６０には、多数の端子収容室２１、６１が設けられており、個々の端子収容室２１に端子が収容されている。
【００２７】
図４、図５に示すように、ボディ側のコネクタ５０のホース貫通路３０は、前半部に後述するテーパ嵌合部７２を有した単なる貫通孔７１として設けられているが、バックドア側のコネクタ１０のホース貫通路３０には、該ホース貫通路３０に通したウォッシャホース２００を長手方向に移動不能に一次係止するホース保持筒３２が設けられている。このホース保持筒３２は、軸方向に延びるスリット３２ａにより周方向に複数に分割されたテーパ周壁３２ｂを有しており、該テーパ周壁３２ｂ自身の可撓性により、中に通されたウォッシャホース２００に締付力を発揮して、ウォッシャホース２００を長手方向に移動不能に一次係止するように構成されている。
【００２８】
ここで、テーパ周壁３２ｂの内周テーパ面３２ｄは、後端側の大径部の内径が、貫通予定のウォッシャホース２００の外径より大きく、前端側の小径部の内径が、貫通予定のウォッシャホース２００の外径より小さく設定されている。また、外周テーパ面３２ｃは、内周テーパ面３２ｂと平行なテーパ面として形成されており、前端側（相手コネクタ５０に対しての嵌合側）が小径となるように窄まっている。
【００２９】
また、ボディ側のコネクタハウジング５０Ａのホース貫通路７０を構成するストレートな貫通孔７１の前半部には、コネクタハウジング１０Ａ、５０Ａ同士を結合したときに、ホース貫通路３０、７０に通したウォッシャホース２００を二次係止するためのホース二次係止手段としてのテーパ嵌合部７２が設けられている。
【００３０】
このテーパ嵌合部７２は、相手コネクタ１０側に向けて広がったテーパ孔として形成されており、コネクタハウジング１０Ａ、５０Ａ同士を結合したときに、相手コネクタ１０側のホース保持筒３２の外周テーパ面３２ｃに嵌合することで、ホース保持筒３２に外部から縮径力を与える。そして、ホース保持筒３２自身の発揮する締付力に、二次係止力としての増強力を加えるようになっている。
【００３１】
次に作用を説明する。
【００３２】
上記構成のホース貫通路付きのコネクタでは、電気系統（ワイヤーハーネスに接続された端子２６）と流体系統（ウォッシャホース２００）を１組のコネクタ１０、５０にまとめて配設できるため、別々に配索するのと違って、組み付け作業性の向上が図れる。また、電気系統と流体系統をまとめることで、ウォッシャホース２００用のグロメットをワイヤーハーネス用のグロメットと別に用意する必要がなくなる（グロメットＧを１個に集約できる）ため、部品点数の削減が図れる。また、ウォッシャホース２００は、コネクタハウジング１０Ａ、５０Ａに単に挿通させるだけであり、コネクタハウジング１０Ａ、５０Ａの結合によってウォッシャホース同士の接続を行うわけではないから、ウォッシャホース２００が破れない限り、流体の漏れの心配はない。また、ホース貫通路３０、７０と電気接続部２０、６０は隔壁３１、７１で完全に仕切られているので、電気系統と流体系統の干渉のおそれもない。
【００３３】
また、従来例のようにコネクタ１０、５０で流路同士を接続するわけではないから、余計なシール部も不要であり、構造の簡略化が図れる。また、ウォッシャホース２００の繋ぎは、コネクタ１０、５０から離れた位置で自由に行えばよいので、電気系統の接続箇所（コネクタの位置）とウォッシャホース２００の接続箇所を敢えて離すことができる。つまり、同じコネクタ１０、５０内に電気系統と液体系統を通すものの、各系統の接続は離れた位置で行うことができることから、電気接続箇所がウォッシャホース２００の継ぎ目からの漏れの影響を受けるおそれもない。
【００３４】
また、バックドア側のコネクタハウジング１０Ａのホース貫通路３０に、ウォッシャホース２００を一次係止するホース保持筒３２を設けているので、ウォッシャホース２００が無闇に動いたりしなくなり、ウォッシャホース２００の取り扱いやコネクタ１０、５０の接続がやりやすくなる。特に、テーパ周壁３２ｂの小径部の内径より太めで大径部の内径より細めのウォッシャホース２００をテーパ周壁３２ｂの大径部側から小径部側に挿通させるだけで、自動的にウォッシャホース２００を一次係止することができるので、ウォッシャホース２００の組み付けが簡単にできる。
【００３５】
また、ボディ側のコネクタハウジング５０Ａのホース貫通路７０に、ホース二次係止手段として、コネクタハウジング１０Ａ、５０Ａ同士を結合したときに、ホース保持筒３２の外周テーパ面３２ｃに嵌合することで、ホース保持筒３２に外部から縮径力を与えて、ホース保持筒３２自身の発揮する締付力（一次係止力）に二次係止力としての増強力を加えるテーパ嵌合部７２を設けたので、極めて簡単な構造を付加するだけで、ホース保持筒３２による締め付けを大幅に強化することができる。つまり、ホース保持筒３２自身による一次係止力を弱く設定して、ウォッシャホース２００の貫通作業の容易化図りながら、コネクタ１０、５０の嵌合時には、二次係止力を発生することによって確実にウォッシャホース２００を固定することができる。
【図面の簡単な説明】
【００３６】
【図１】本発明の実施形態のホース貫通路付きのコネクタの結合前の状態を示す分解斜視図である。
【図２】図１のコネクタの背面方向（相手コネクタに対する嵌合面と反対側）から見た斜視図である。
【図３】図１のコネクタの正面方向（相手コネクタに対する嵌合面側）から見た斜視図である。
【図４】前記両コネクタをホース貫通路の位置で縦に切断して示す部分斜視図である。
【図５】図４と同じ位置で切断したものを反対側から見た部分斜視図である。
【図６】図４と同じ位置で切断したものの側断面図である。
【図７】前記コネクタの嵌合時のホース貫通路の組み合わせ状態を示す断面図である。
【図８】従来の流路一体コネクタの構成を示す斜視図である。
【符号の説明】
【００３７】
１０，５０  コネクタ
１０Ａ，５０Ａ  コネクタハウジング
２０，６０  電気接続部
３０，７０  ホース貫通路
３１，７１  隔壁
３２  ホース保持筒
３２ａ  スリット
３２ｂ  テーパ周壁
３２ｃ  外周テーパ面
７２  テーパ嵌合部（二次係止手段）
２００  ウォッシャホース（流体ホース）
【図１】
2007200773.tif 000003
【図２】
2007200773.tif 000004
【図３】
2007200773.tif 000005
【図４】
2007200773.tif 000006
【図５】
2007200773.tif 000007
【図６】
2007200773.tif 000008
【図７】
2007200773.tif 000009
【図８】
2007200773.tif 000010